(57)【要約】【課題】　不正な改造に弱かった。【解決手段】　スライドして開閉する筺体本体１０と蓋体２０とを合体させて制御ボックスを形成するに際し、予め筺体本体１０の側には五つの挿入穴形成部１２を並べて形成しておくとともに、その外側で挟み込むように予備収容部１３を二つ形成している。予備収容部１３に予備の金属片４０を収容しておくとともに挿入穴形成部１２には板バネ５０を挿入しておき、蓋体２０と筺体本体１０とが対応する位置関係になったら、金属片挿入部２１に金属片４０を挿入していき板バネ５０にて係止させる。この状態でかかる係止部位は両側の予備収容部１３，１３にて挟まれており、かつ、同予備収容部１３，１３には金属片４０が収容されているので外部から切削するなどの不正な攻撃から防御される。【選択図】　図１
2004089734.tif 000002
【特許請求の範囲】
【請求項１】
筺体封止構造にて封止可能な制御ボックスを有する遊技機であって、
　上記筺体封止構造は、金属片を利用して封止するとともに、上記制御ボックスには、上記金属片を遮蔽する位置に同金属片の予備を保持可能な収容部位を形成していることを特徴とする遊技機
【発明の詳細な説明】
【技術分野】
【０００１】
　本発明は、筺体封止構造にて封止可能な制御ボックスを有する遊技機に関する。
【背景技術】
【０００２】
　パチンコ機などの遊技機においては、制御部などに不正な改造が施されることを防止するため、制御ボックスを容易には開閉できないようにする筺体封止構造が採用されている。
　従来、この種の筺体封止構造として、図１５と図１６に示すものが知られている。
　同図において、樹脂製の蓋体１と筺体本体２とからなる筺体が制御ボックスである。制御ボックスにおける開口縁部には四ヶ所に筺体封止構造が形成されている。筺体封止構造は蓋体１の側の突出片１ａと、筺体本体２の側のナット保持部２ａとから構成されている。
【０００３】
　図１１に示すように、突出片１ａにはネジ３を貫通させる貫通穴１ａ１が形成されている。このネジ３の軸部は、先端にのみ雄ネジ部３ｂが形成されており、その途中には雄ネジを形成していない延長部３ａとなっている。一方、ナット保持部２ａには内周面に雌ネジ部４ａを形成した筒状のインサートナット４が嵌入されており、このインサートナット４の長さは概ね上記延長部３ａよりも僅かに短めとしてあるとともに、インサートナット４のさらに奥側にはドーナツ状の板バネ部材５が挿入されている。
【０００４】
　上記構成において、筺体本体２に蓋体１を位置合わせし、上記突出片１ａと上記ナット保持部２ａとが重なり合ったら、突出片１ａの貫通穴１ａ１に対してネジ３を挿入していき、上記インサートナット４に螺合させる。ネジ３を回転していくと、雄ネジ部３ｂはインサートナット４の雌ネジ部４ａに螺合していくが、ネジ３には延長部３ａが形成してあるので、ある時点で同雄ネジ部３ｂはインサートナット４を貫通する。また、貫通した時点で雄ネジ部３ｂは板バネ部材５をも貫通し、同板バネ部材５にて奥方向に付勢される。そして、貫通直後の状態が筺体本体２と蓋体１とが密閉された状態となる。
【０００５】
　この後、筺体本体２から蓋体１を外そうとして、ネジ３を逆方向に回転させても、雄ネジ部３ｂは板バネ部材５にて奥方向に付勢されているのでインサートナット４の雌ネジ部４ａに螺合しない。このため、ネジ３を外すことはできず、筺体本体２から蓋体１を外すことはできない。必要に応じて開口する唯一の手法は、樹脂製の突出片１ａとナット保持部２ａのいずれかあるいは両方を破断させることである。図示した制御ボックスの場合、四対の筺体封止構造が備えられており、メインテナンスの必要で開口しなければならない場合に対応している。
【０００６】
　また、突出片２ａには当該制御ボックスの外部であって図示下方に示す位置に板状の予備ネジ保持片２ａ１を延設せしめており、予備のネジ３は同予備ネジ保持片２ａ１を貫通させた状態で保持されている。
【発明の開示】
【発明が解決しようとする課題】
【０００７】
　上述した従来の開口部位封止構造においては、次のような課題があった。
　ナット保持部の裏側が樹脂製の壁材しか配置されておらず、この部位を破壊してネジ３を手前側に付勢しつつ逆回転させると、ネジ３を外せる可能性があった。この場合、裏側だけを破壊するので前面からは破壊されていることが容易に分からず、長期にわたって不正を発見できないことがあった。
【０００８】
　予備のネジ３は外部に保持されているので、紛失する可能性があり、また、予め予備のネジ３に対して不正を行っておくことにより、封止時に解除できるように改造してしまう可能性もあった。
　本発明は、上記課題にかんがみてなされたもので、不正な改造を施しにくくすることが可能な筺体封止構造を採用した遊技機の提供を目的とする。
【課題を解決するための手段】
【０００９】
　上記目的を達成するため、請求項１にかかる発明は、筺体封止構造にて封止可能な制御ボックスを有する遊技機であって、上記筺体封止構造は、金属片を利用して封止するとともに、上記制御ボックスには、上記金属片を遮蔽する位置に同金属片の予備を保持可能な収容部位を形成した構成としてある。
【００１０】
　上記のように構成した請求項１にかかる発明において、筺体封止構造が金属片を利用して封止することを前提としつつ、上記制御ボックス内には同金属片の予備して保持する収容部位が形成されており、かつ、同収容部位に予備の金属片を収容しておくと、当該予備の金属片が筺体封止構造として作用している金属片を遮蔽する。従って、制御ボックスの一部を壊して不正を行おうとしても、予備の金属片が障壁となり、容易には制御ボックスを壊すことができない。
【００１１】
　このように筺体封止構造の金属片を遮蔽する部位は様々であるし、遮蔽といっても完全に覆い隠すことまでは必要ではない。従って、遮蔽とは何らかの形で筺体封止構造の一部を破損させて不正を加えようとするときに、そのような破損をさせにくくする部位であればよい。
　本発明は、上記の構成に限られるものではなく、以下の手段も含むものである。
　手段１
　複数個の上記筺体封止構造を並べて形成するとともに、上記収容部位は並び方向の端の部位に形成する。
【００１２】
　上記のように構成した場合、予備の金属片が並び方向の外側に位置するので、側方から筺体封止構造を破損させようとする攻撃を想定したときに、並び方向の最も外側を予備がガードし、不正を行いにくくする。
　手段２
　上記金属片のそれぞれが板状に形成され、上記収容部位では複数枚の金属片を重ねて収容するようにしてもよい。
　金属片が板状であると重ねて収容できるし、重ねて収容すれば重ねた厚みの分だけ外部から破壊させにくくなる。
【００１３】
　手段３
　板状の金属片は面状に収容されるようにしても良い。
　面状とすることで隙間を少なくし、外部から破損させにくくできる。
　手段４
　板状の金属片を使って面状とする手法として、金属片の外形に略一致する穴を形成した枠材にはめ込み、一枚の板状とするようにしてもよい。
　このようにした場合、金属片と枠とでほぼ完全な一枚板を形成するので、隙間が最も小さくなる。また、このような枠自体は、金属片をダイパンチで型抜きするときの残りを加工して形成すれば効率的となる。
【００１４】
　手段５
　また、複数の金属片が凹凸を有するときに互い違いに対面させて面状にするようにしても良い。
　たとえば、金属片がＬ字形であれば一方を逆さまにして対面させ、近接させればよいし、Ｕ字型であれば互いに逆さまにしつつＵ字形の凹部内に他方の直線部位を挿入するようにして近接させればよい。
　手段６
　また、上記収容部位の他の構成例として、制御ボックスの一辺に筺体封止構造を形成する場合、当該制御ボックスにおける底面から同筺体封止構造の奥側へ向かう側方への収容穴を形成し、同筺体封止構造の奥側を遮蔽するようにしても良い。
【００１５】
　このようにすれば、同筺体封止構造の奥側から破損させようとする攻撃に対処することができる。
　この例では、制御ボックスの底面を例示したが、逆の場合、すなわち、蓋体の側でも同様に天井面から側方への収容穴を形成してもよい。
　手段７
　制御ボックスは筺体本体と蓋体とから構成されるが、両者をスライドさせて合体する構成としても良い。
　手段８
　スライドさせて合体するときに、筺体封止構造で利用する金属片の装着方向と、蓋体と筺体との開閉方向とは、直交することも、平行することも可能である。しかし、両者の方向が直交方向とすれば、金属片の抜け止めを図るだけで、蓋体と筺体とを開くことを効果的に防止しやすい。
【００１６】
　たとえば、筺体には同直行方向に沿って挿入穴を形成しておくとともに、蓋体には同穴に対面する貫通孔を形成しておき、蓋体と筺体とが位置合わせされたときに金属片を上記貫通穴から上記挿入穴を挿入して固定する。このとき金属片の一部が挿入穴内にて停止しておくようにする。
　このようにしたときは、金属片の装着方向と、蓋体と筺体のスライド方向とが直行する。そして、蓋体と筺体のスライドを妨げるのは金属片自体の破断耐久力であるため、極めて多大な力をかけないと開くことはできなくなる。
【００１７】
　手段９
　上述したように複数の筺体封止構造が形成される場合、用途によっては制御ボックス自体を必ず開閉しなければならなくなることもあり得る。筺体封止構造を解除する際に破損させる部位を連結部位と呼ぶとすると、各筺体封止構造における同連結部位の数が相違する構成としてもよい。
　例えば、開閉することは基本的にあり得ないことを前提とするものでは、最初の封止が最も不正に空けられにくくしておくと不正を行いにくくなる。従って、このようなものでは、最初に封止される連結部位の数を多くしておけばよい。また、検査工程などを経るときに必ず二回は封止を開くというのであれば、三回目の封止に利用する筺体封止構造における連結部位の数を多くしておけばよい。なお、この場合の連結部位の数は、封止を解く際に破断を要する数であり、順次、破断していくときに既に破断されている壁材の数を含めないようして数えてもよい。
【００１８】
　手段１０
　このような連結部位は、当該制御ボックスを正面から見たときに平面上に配置されるようにしても良い。
　連結部位を破損させても見にくい場所にあれば不正に気づきにくいが、制御ボックスを正面から見たときに連結部位が平面上に配置されていれば、破損箇所を容易に視認でき、不正を防止できる。
　手段１１
　筺体と蓋体とがスライドして装着される場合、上記蓋体は遊技機の制御基板を保持し、保持した状態で上記筺体本体に対してスライドして装着されるとともに、上記蓋体の内側壁面から同制御基板上に配置したＩＣを取り囲むように壁材を延設した構成としてもよい。
【００１９】
　従来は、筺体本体に制御基板を配置するときに部品載置面を開口側に向けておき、この筺体本体と蝶番などで連結されている蓋体を回動させて上記開口を塞ぐようにしている。すなわち、ＩＣなどは開口側に面しており、蓋体で開口を塞いだとしても、蓋体内ではＩＣを覆うものはない。このため、隙間などがあれば、外部から巧妙な不正を行うこともあり得る。
　これに対して、上記のように構成した発明においては、上記蓋体に遊技機の制御基板を保持させる。このとき、蓋体の内面に対して制御基板における部品載置面を向けて収容するようにし、かつ、載置されたＩＣを取り囲むように蓋体の内周壁面からは壁材を延設している。これにより、ＩＣの側方をすっぽりと覆うことが可能となり、このようにして覆った場合には筺体の隙間からＩＣの下面に異物を差し込むような不正を防止できる。そして、主に部品載置面と反対の面が露出する状態で筺体本体に対してスライドすれば容易に装着される。
【００２０】
　手段１２
　また、制御基板には外部へ導出されるケーブルやコネクタが取り付けられており、このケーブルやコネクタに対応して筺体の側にも開口部が必要である。筺体本体と蓋体とが蝶番で連結されている場合には、開閉時に円弧を描く関係から、ケーブルを取り出す部分の開口がケーブルやコネクタと干渉しないように大きめにせざるを得ないし、制御基板の盤面と密接するような形状とはできなかった。
【００２１】
　しかし、上記蓋体で遊技機の制御基板を保持させつつ、保持した状態で上記筺体本体に対してスライドして装着させる場合には、制御基板における部品載置面上のケーブルの取出位置やコネクタの装着位置の周辺部位に対向する上記蓋体の内周壁面から壁材を延設させ、同壁材の先端が制御基板に当接するようにして隙間を生じさせない構成としても良い。
　このようにした場合も、部品載置面を蓋体の内面に向けて取り付けるので、ケーブルやコネクタのための開口部でも基板表面に密接するように壁材を延設することができ、これによって外界との間に生じる隙間をできる限り少なくして不正を防止することができる。
【００２２】
　手段１３
　このような金属片を遮蔽する位置に収容部位を形成して金属片の予備を保持する構成は、同金属片の形状によって優位性が向上する。その一例として、上記筺体封止構造が、Ｕ型に折り返した部位を形成した金属片を有するとともに、筺体の側には、上記筺体と蓋体との接触面に対面して上記金属片におけるＵ型に折り返した両端を挿入可能な挿入穴と、当該挿入穴内にて上記金属片における折り返した内側に係止して抜け止めを図るバネ片とを備え、上記蓋体の側には、上記挿入穴と対面して上記金属片におけるＵ型に折り返した両端を挿通可能な挿通穴を備えた構成とする。
【００２３】
　このように構成した場合、封止する際には、筺体と蓋体との接触面に対面するように筺体の挿入穴と蓋体の挿通穴とを位置合わせした状態で、同挿通穴の側からＵ型に折り返した金属片を挿入していく。筺体の挿入穴の内部にはバネ片が備えられており、同金属片を挿入していくときに当該金属片における折り返した内側部分と係止し、金属片自体の抜け止めが図られる。この状態ではＵ型に折り返した金属片が蓋体の一部を跨ぐようにして筺体の側に挿入されて抜け止めされることになり、筺体と蓋体とは相対的に移動不能となる。従って、両者は封止される。
【００２４】
　ここで、バネ片は金属片における折り返した内側部分と係止するので、金属片の形状自体からも外部からの不正な攻撃を妨げることができる。しかしながら、側面方向からの攻撃には弱く、この方向について金属片を遮蔽する位置に上述した収容部位を形成すればよい。
　手段１４
　また、各種の遊技機に適用可能であり、遊技機の一例として、パチンコ機に適用し、筺体封止構造が、同パチンコ機の背面側から視認できる位置に配置する構成とする。
【００２５】
　パチンコ機は、営業時間中を含めて頻繁に開いてその背面側が目に触れるものである。このため、同筺体封止構造が背面側から視認できる位置にあることによって不正を防止できる。
　パチンコ機のような遊技機では、ゲーム内容に対応する遊技プログラムを記録したＩＣが制御ボックスに収容され、当該ＩＣの内容を書き換える不正が行われる可能性がある。このため、同制御ボックスに本発明の筺体封止構造を適用することにより、不正を未然に防ぐことができる。
【００２６】
　手段１５
　また、上記遊技機はスロットマシンであり、この筺体封止構造を遊技機の制御ボックスに適用する場合、当該制御ボックスは同スロットマシンの内部あるいは背面側に配置され、同スロットマシンを開いたときに同筺体封止構造を容易に視認できる位置に配置した構成とする。
　スロットマシンも、営業時間中を含めて頻繁に開いてその背面側が目に触れるものである。このため、同筺体封止構造が背面側から視認できる位置にあることによって不正を防止できる。
【００２７】
　手段１６
　また、上記遊技機はパチロットであり、この筺体封止構造を遊技機の制御ボックスに適用する場合、当該制御ボックスは同パチロットの内部あるいは背面側に配置され、同パチロットを開いたときに同筺体封止構造を容易に視認できる位置に配置した構成とする。
　パチロットは、メダルの代わりに一定数のパチンコ球を使用して絵合わせを行うパチンコ機とスロットマシンの両方の特徴を備えた遊技機である。このようなパチロットも、営業時間中を含めて頻繁に開いてその背面側が目に触れるものである。このため、同筺体封止構造が背面側から視認できる位置にあることによって不正を防止できる。
【発明の効果】
【００２８】
　以上説明したように本発明は、不正を行いにくくすることが可能な筺体封止構造を採用した遊技機を提供することができる。
　また、手段１にかかる発明によれば、複数個の筺体封止構造を並べてその並び方向の端の部位で遮蔽するようにしたため、側方からの不正な行為を防御できる。
　さらに、手段２にかかる発明によれば、板状に形成された金属片を複数枚を重ねることにより、厚みを増して防御を強固にすることができる。
【００２９】
　さらに、手段３にかかる発明によれば、板状の金属片を面状に収容するので、隙間をできるだけ少なくして外部から破損させにくくできる。
　さらに、手段４にかかる発明によれば、枠材と金属片とはほぼ隙間なく完全な一枚板を形成するので、外部からの不正な破損を防御しやすくなる。
　さらに、手段５にかかる発明によれば、金属片が凹凸を有するときでも隙間をできるだけ小さくして不正を防御できる。
【００３０】
　さらに、手段６にかかる発明によれば、筺体封止構造の奥側から破損させようとする攻撃に対処できる。
　さらに、手段７にかかる発明によれば、蓋体と筺体本体とをスライドさせて合体する制御ボックスを提供できる。
　さらに、手段８にかかる発明によれば、金属片自体の破断耐久力で制御ボックスが開かれるのを防止できるため、極めて強固に不正を防止できる。
　さらに、手段９にかかる発明によれば、連結部位の数を相違させて制御ボックスの開閉の必要性に対応することができる。
【００３１】
　さらに、手段１０にかかる発明によれば、破損箇所を容易に視認できるようにして、不正を防止できる。
　さらに、手段１１にかかる発明によれば、遊技機における制御基板上のＩＣに不正を行いにくくなる。
　さらに、手段１２にかかる発明によれば、遊技機におけるケーブルの引き出し部位からの不正を行いにくくできる。
　さらに、手段１３にかかる発明によれば、本発明がより有効に利用されうる筺体封止構造を提供することができる。
【００３２】
　さらに、手段１４にかかる発明によれば、パチンコ機の遊技領域における背面側から視認でき、営業時間中を含めて頻繁に開かれるので目に触れ易く、早期に発見して不正に基づく損失を最小限とすることができるし、未然に不正を防止できる。
　さらに、手段１５にかかる発明によれば、スロットマシンの内部に配置されつつ、同スロットマシンを開いたときに視認できるので、早期に発見して不正に基づく損失を最小限とすることができるし、未然に不正を防止できる。
【００３３】
　さらに、手段１６にかかる発明によれば、パチロットの内部に配置されつつ、同パチロットを開いたときに視認できるので、早期に発見して不正に基づく損失を最小限とすることができるし、未然に不正を防止できる。
【発明を実施するための最良の形態】
【００３４】
　以下、図面にもとづいて本発明の実施形態を説明する。
　図１は、本発明の一実施形態にかかる筺体封止構造を適用した遊技機の制御ボックスを斜視図により示しており、図２は要部を拡大しつつ破断した斜視図により示している。
【００３５】
　図において、筺体本体１０は略矩形状とした全体形状のうち、相対面する辺にレール状のガイド部１１，１１を有しており、同様に略矩形形状とした蓋体２０における相対面する辺に形成した鍔状部２４，２４を同ガイド部１１，１１に沿わせるようにしてスライドして装着できるようになっている。この例では、蓋体２０の側が深みのある形状となっており、遊技機に使用する制御基板３０をその部品載置面３１の側から内面に対面させつつ、同制御基板３０を保持するようにしている。
【００３６】
　筺体本体１０における上記ガイド部１１，１１の挿入端とは反対側の辺には挿入穴形成部１２が五つ連結されて形成されている。
　一方、スライドして装着されてくる蓋体２０の側には各挿入穴形成部１２を覆蓋して対面する位置に上記金属片４０を挿入可能なスリットを有する金属片挿入部２１が形成され、この金属片挿入部２１は周囲の部材に対して比較的破損し易いようにした樹脂壁２２ａ，２２ｂを介して連結されている。なお、挿入穴形成部１２には、板バネ５０が収容されている。
【００３７】
　筺体本体１０における五つの挿入穴形成部１２を挟むようにその外側には金属片４０の予備を収容する予備収容部１３が二つ形成されており、それぞれに金属片４０を２つずつ、合計４つの予備を入れることができる。予備収容部１３は上方に開口を有しており、金属片４０を上方から挿入可能である。また、蓋体２０の側には、筺体本体１０に対してスライドして装着されるときに同予備収容部１３の上方を覆蓋する位置に予備収容部用蓋部２３が形成されている。
【００３８】
　この予備収容部１３は予備の金属片４０を収容するだけにとどまるものではなく、筺体封止構造に対する不正を防止する役割も担っている。同役割について説明する前に、同筺体封止構造について説明する。
　図３は筺体封止構造を断面図により示している。金属片４０はＵ型に折り返して二つの足部４１ａ，４１ｂを有する形状となっており、この例では一方の足部４１ａが長く、他方の足部４１ｂが短く形成されている。長い側の足部４１ａにおける内側の辺には三つの切り欠き部位４１ｃを形成してあり、各切り欠き部位４１ｃは鋸刃状の突起４１ｄの凹部として形成されている。鋸刃状の突起４１ｄは足部４１ａを挿入していくときに障害物を乗り越えやすくなる斜面が対面し、足部４１ａを引き抜こうとするときに障害物に食い込みやすくする方向性となっている。
【００３９】
　板バネ５０は、短冊状の金属板片を概略Ｌ字形に屈曲して形成されている。より詳細には、長片５１の部分の先端５１ａを短片５２の部分とは反対方向に鋭角にして折り返してあり、また、長片５１の部分の両サイドにて短片の側から切り起こし弾性支持爪５１ｃ，５１ｃを形成すると共に、当該長片５１の中央部分には長さ方向に沿って三ヶ所をコの字型に切りつつその内部を起こして切り起こし爪５１ｄを形成してある。
【００４０】
　弾性支持爪５１ｃは長片５１に対して斜めに起こされているが、その先端部分は再度折り曲げて長片５１と平行となるように形成してある。切り起こし爪５１ｄは、長片５１の先端側に向かう側が起こされており、図３に示すように、金属片４０の足部４１ａを挿入していくときに、上記鋸刃状の突起４１ｄの挿入を妨げないが、足部４１ａを引き抜こうとするときには先端が切り欠き部位４１ｃ内に入り込んで抜け止めを図るようになっている。
【００４１】
　この切り起こし爪５１ｄの幅は、金属片４０の足部４１ａとほぼ同等か、それ以下になるようにする。このようにすると、下方から見たときに切り起こし爪５１ｄは金属片４０にカバーされ、外部から異物を挿入して切り起こし爪５１ｄを寝かせるとということが困難になる。
　切り起こし爪５１ｄを切り起こす方向については、制御ボックスの内部に向けている。このようにすれば、切り起こし爪５１ｄを寝かせようとするためには制御ボックスの内側から穴を開けなければならず、制御ボックスが開いていて初めて実現できるので、不正行為を防止できることになる。
【００４２】
　なお、短片５２の先端５２ａは長片５１の先端５１ａと同方向に折り返してある。このように短片５２の先端５２ａを折り返すことにより、後述するように壁材１２ｃの反対面に引っかかり、板バネ５０を図３にて下方に引き抜こうとする不正行為に対向することができる。
　挿入穴形成部１２は上記金属片４０の足部４１ａ，４１ｂに対応して二つの挿入穴１２ａ，１２ｂが形成されている。長い方の足部４１ａに対応する挿入穴１２ａには上記板バネ５０の長片５１が挿入されるようになっており、さらに際奥部には長片５１の先端５１ａが入り込んで係止可能な凹部１２ａ１を形成してある。
【００４３】
　板バネ５０を挿入穴１２ａに挿入していくとき、先端５１ａが凹部１２ａ１に入り込んで抜け止めが図られると共に、上記弾性支持爪５１ｃは挿入穴１２ａの壁面に当接して長片５１がやや浮いた状態で支持される。ここで、短片５２は挿入穴１２ａ内には入らず、挿入穴１２ａと挿入穴１２ｂの間に形成される壁材１２ｃに当接し、さらに、短片５２における折り返した先端５２ａが挿入穴１２ｂの側に入り込む。従って、長片５１は短片５２と接続する根本の側で壁材１２ｃにて移動を規制されつつ、中間の部位では弾性支持爪５１ｃによって上記壁材１２ｃから離れる側に付勢され、先端５１ａが凹部１２ａ１内にしっかりと入り込んで抜けないように保持されることになる。
【００４４】
　筺体本体１０の挿入穴形成部１２に対応する蓋体２０の金属片挿入部２１は板状の金属片４０を挿入できるようにスリット状の開口２１ａ１を有する平たい筒状の本体部分２１ａを有しており、この本体部分２１ａはその長手方向の一端で蓋体２０と樹脂壁２２ａを介してに連結されている。樹脂壁２２ａは他の部位の壁部よりもやや薄目に形成されており、この部位で比較的容易に破壊できるようになっている。また、本体部分２１ａ同士を横並び方向に連結する樹脂壁２２ｂは全体的には幅広に形成されているが、中央には一端から切り欠き２２ｂ１を形成しており、実質的には短い幅でのみ連結されている。従って、この部位で比較的容易に破壊できるようになっている。なお、スリット状の開口２１ａ１内には二股とした金属片４０の足部４１ａ，４１ｂがそれぞれ挿入可能な開口を形成するための架橋部２１ｂが形成されている。
【００４５】
　上記構成からなる筺体封止構造は、金属片４０と板バネ５０とを係合させて筺体本体１０と蓋体２０とを封止している。金属片４０と板バネ５０との係合は、切り起こし爪５１ｄが切り欠き部位４１ｃに入り込んで行われる。
　ここで、図１には、Ａ，Ｂ，Ｃ，Ｄ，Ｅ，Ｆの各方向を図示しており、これは筺体封止構造へ不正を行うための攻撃方向を示している。Ａ方向は挿入穴形成部１２に対して外部からスライド方向に平行な方向に攻撃を加えることを示している。この場合、樹脂製の挿入穴形成部１２は切削できるとしても板バネ５０の長片５１が金属であるため、それ以降の切削は困難であり、不正を防止できる。また、同様にＢ方向は挿入穴形成部１２に対してスライド方向に平行な方向であるものの、内部からの攻撃方向となるので考慮する必要はない。Ｃ方向は挿入穴形成部１２の下方からの攻撃であり、切り起こし爪５１ｄが切り欠き部位４１ｃに入り込んでいるので外部からの攻撃は難しい。また、板バネ５０を下方に引き出そうとしても短片５２と先端５２ａが壁材１２ｃをくわえ込んでいるので不可能である。さらに、Ｄ方向は金属片４０がＵ字形に形成されているので、係合部位を完全に覆い隠し、攻撃は難しい。
【００４６】
　これに対してＥ方向とＦ方向については、本来であると樹脂製の壁材があるだけなので、攻撃を受けやすい。しかし、本実施例においては、二つの予備収容部１３，１３が五つの挿入穴形成部１２を挟むようにその外側に配置されている。そして、各予備収容部１３，１３には予備の金属片４０が収容されているので、予備収容部１３における外側の側壁については切削できるものの金属片４０に突き当たることになり、それ以降の切削がほぼ不可能になる。それにより、挿入穴形成部１２まで到達することもできず、筺体封止構造への不正を実質的に不可能とできる。
【００４７】
　予備の金属片４０を収容する予備収容部１３の位置は、必ずしも挿入穴形成部１２の並び方向における外側で挟み込む位置に限られるものではない。
　図４と図５は予備収容部の配置についての変形例を示している。この例では、側方に予備収容部１３を残しつつ、挿入穴形成部１２における底の部分に予備収容部１１３を配置している。より、具体的には先の実施形態において長片５１の折り返した先端５１ａが入り込む凹部１２ａ１を図１に示すＢ方向へ延出するようにして一枚の金属片４０を収容可能な構成としている。この予備収容部１１３は、言い換えれば、当該制御ボックスにおける底面から上記筺体封止構造の奥側へ向かう側方への凹部１２ａ１を形成し、同筺体封止構造の奥側に金属片４０を収容して遮蔽している。
【００４８】
　このようにして予備の金属片４０を同予備収容部１１３に収容しておけば、Ｃ方向からヤスリなどを使って挿入穴形成部１２を切削しようとしても金属片４０に突き当たってしまい、それ以上は切削できなくなる。むろん、この実施例自体では下方からの攻撃に対応した構成となっているが、図１０に示すような従来のタイプのものでは下方からの攻撃に弱いことは前述したとおりである。従って、予備のネジ３を収容する凹部を制御ボックスの底面から側方へ形成し、攻撃に弱かった筺体封止構造の奥側を遮蔽することで不正な攻撃に対する防御を行うことができる。
【００４９】
　同様にして、予備収容部１１３は不正な攻撃に対する遮蔽となる位置にて適宜形成することができる。
　遮蔽に利用される予備の金属片４０の形状によっては遮蔽範囲が狭い場合もある。このため、できるだけ面状に遮蔽範囲を形成できるようにした変形例を図６と図７に示している。
　金属片４０がプレスで打ち抜かれて形成されるような場合、素材の側には打ち抜いた金属片４０と同形状の穴があく。このことを利用して素材の側も広めの枠４２を打ち抜いておき、使用するまでは一体にしておいて予備収容部２１３に収容する。なお、予備収容部２１３では、金属片４０と枠４２とが外れてしまわないように金属片４０の厚みに対応したスリット２１３ａを形成しておき、金属片４０と枠４２とを合体させた状態で挿入しておく。
【００５０】
　このようにすれば、ほぼ面状の金属板材が遮蔽することになるので、不正な攻撃に対する防御を確実に行える。また、使用後の素材も有効に利用できる。
　さらに、図８と図９は面状を構成する他の変形例を示している。この例では、金属片４０の切り欠き部位４１ｃの形状を変え、図８に示すように互いに逆さまにした金属片４０同士の凹凸を対称形状にして形成している。このように対称に形成しておくと、図９に示すように両者を近接させてほぼ隙間なく合体させることができ、一枚の金属板片を形成できる。そして、先の例と同様にして図１０に示すように予備収容部３１３のスリット３１３ａに挿入して保持しておく。
【００５１】
　このようにすれば、敢えて枠４２と金属片を別に打ち抜く必要がなく、ほぼ隙間のない面状の金属板片を形成して不正な攻撃から防御できる。
　次に、筺体封止構造についても説明する。
　予め上記挿入穴形成部１２に対して上記板バネ５０を挿入しておく。板バネ５０の長片５１が挿入穴１２ａの奥まで挿入された状態では折り返した先端５１ａが凹部１２ａ１内に入り込み、当該板バネ５０が抜け出ることを防止する。また、短片５２は壁材１２ｃに当接しつつその折り返した先端５２ａが反対側の挿入穴１２ｂに入り込むようにして引っかかる。このとき、途中に形成した弾性支持爪５１ｃは当該板バネ５０を壁材１２ｃから微少距離だけ浮かせて支持することになる。なお、板バネ５０は五つの各挿入穴形成部１２内に装着しておき、予備収容部１３内にはそれぞれ二つずつの金属片４０を挿入しておく。以上で筺体本体１０の側の準備は完了する。
【００５２】
　蓋体２０の側では、遊技機に使用する制御基板３０をその部品載置面３１の側から内面に対面させ、同制御基板３０を蓋体２０内部に保持させる。そして、鍔状部２４，２４を筺体本体１０のガイド部１１，１１に沿わせるようにしてスライドして装着する。蓋体２０と筺体本体１０とが対応する位置関係になると、上記金属片挿入部２１と挿入穴形成部１２とが重なり合うことになる。そこで、金属片挿入部２１におけるスリット状の開口２１ａ１に金属片４０を挿入していくと、両足部４１ａ，４１ｂが架橋部２１ｂを挟み込むようにしてそれぞれ挿入穴形成部１２の挿入穴１２ａ，１２ｂ内に入っていく。足部４１ａが挿入穴１２ａ内に進入していくときに、切り起こし爪５１ｄが干渉するが、切り起こし爪５１ｄの起こされている傾斜と足部４１ａに形成されている鋸刃状の突起４１ｄの傾斜面とが互いに乗り過ごせる方向になっており、足部４１ａは挿入穴１２ａ内の所定位置まで挿入できる。むろん、挿入後は両者が食い込むように対面するので、抜け止めを図ることができる。そして、板バネ５０自体は先端５１ａにて挿入穴１２ａの奥の凹部１２ａ１内に入り込んで保持されているため、金属片４０が挿入穴形成部１２から抜け出ることはできなくなる。
【００５３】
　足部４１ａが挿入穴１２ａ内に挿入されるのに伴って足部４１ｂも挿入穴１２ｂ内に挿入され、この状態でＵ型の金属片４０は両足部４１ａ，４１ｂの先端を挿入穴形成部１２にて固定される。そして、金属片４０の折り返される部分は蓋体２０の金属片挿入部２１の開口２１ａ１内で架橋部２１ｂを挟み込みつつ止まっているので、蓋体２０をスライドさせることもできなくなり、結果として蓋体２０と筺体本体１０とは封止されることになる。
【００５４】
　この後、封止を解除して制御ボックスを開ける必要が生じたときには、樹脂壁２２ａと樹脂壁２２ｂとを破壊する。Ｕ型とした金属片４０が挿入されている金属片挿入部２１は架橋部２１ｂで挿入穴形成部１２の上に押さえつけられているので、蓋体２０を筺体本体１０からスライドさせると、一度封止された部分の金属片挿入部２１だけが筺体本体１０上に残ったまま、蓋体２０は筺体本体１０から離れることができる。
【００５５】
　ところで、挿入穴形成部１２は横並び方向に対称に形成されており、一見すると各挿入穴形成部１２を支持する樹脂壁２２ａ，２２ｂの数は同様であるが、実際の使用時には異なる。例えば、図１１に示すように、一番下にある挿入穴形成部１２に対する樹脂壁２２ａ，２２ｂを破壊するときには、初めてであるなら○で示すように三つの破損部位となる。しかしながら、下から二つ目の挿入穴形成部１２を解除するときには△で示すように破損すべき部位は二ヶ所になる。この差異は、解除のしやすさに影響を与えるので、通常は解除すること自体が殆ど無いのであれば、最初に解除する際に破損すべき樹脂壁２２ａ，２２ｂの数が多いほど不正をしにくくなる。
【００５６】
　また、検査の工程を経る前に一度組み付ける必要があるというようなときには必ず一度は解除しなければならないことが明らかである。このため、最初の挿入穴形成部１２については樹脂壁２２ａだけで支持する構成としておき、横並びの間の樹脂壁２２ｂを形成しておかないというようにしても良い。このようにすれば、検査工程の際に一つの樹脂壁２２ａだけを破損すればよくなるので、解除の手間が低減される。
【００５７】
　なお、樹脂壁２２ａ，２２ｂの破損させやすさは、その数だけでなく、厚みによって調整してもよい。
　本実施形態では、スライドして脱着される蓋体２０の側に制御基板３０を保持させる構成としてある。図１２は保持状態を断面図により示している。通常、筺体本体に制御基板を保持してあると、蓋体というのは制御基板に対して密着させることができず、どこかに隙間が生じがちである。例えば、ケーブルの引き出し部位に隙間が生じ、この隙間から異物を差し込んで不正を行おうとする可能性がある。
【００５８】
　しかしながら、本実施形態では、深みのある形状となっている蓋体２０に対して制御基板３０をその部品載置面３１の側から内面に対面させて収容している。また、蓋体２０の内周面から制御基板３０上の重要部品であるＩＣソケット３２とＩＣ３３を取り囲むように遮蔽壁材２５を立設させ、同遮蔽壁材２５の先端がほぼ制御基板３０の表面に当接している。このため、異物にてＩＣ３３に到達しうることは不可能となっている。
【００５９】
　また、ケーブル３４についても、ケーブル３４自体は外部に導出させなければならないので制御基板３０の表面を外部に露出させなければならない。しかし、開口部位から当該ケーブル３４の周囲で制御基板３０に当接しうる程度の長さの遮蔽壁材２６を形成しておくことにより、隙間が生じない。これにより、異物などを挿入させること自体も不可能になる。
　なお、図１３はパチンコ機を背面図により示しており、本筺体封止構造を適用した制御ボックスが背面側から視認できるように装着されている。
【００６０】
　パチンコ機６０の背面側には矩形箱形の制御ボックス７０が装着されている。ここで、同制御ボックス７０は長片の一辺に形成した蝶番機構にて蓋体と筺体とが開閉可能になっており、両方の短辺には本筺体封止構造が採用されている。すなわち、蓋体の金属片挿入部２１と筺体の挿入穴形成部１２はそれぞれ蓋体と筺体の短辺にそれぞれ４対ずつ形成されており、封止可能となっている。むろん、必要に応じて開口させることもできる。図に示すように、パチンコ機６０の背面側から直に視認できる位置に配設されているため、メンテナンスのためにパチンコ機６０を開いたときには容易に視認できる。従って、制御ボックス７０内に手を加えるなどのために金属片挿入部２１や挿入穴形成部１２を破損させれば、次のメンテナンス時にはすぐに見つかってしまう。
【００６１】
　また、図１４はスロットマシン（パチスロ）８０の背面を示している。同スロットマシン８０の背面側にも矩形箱形の制御ボックス９０が装着されている。ここで、同制御ボックス９０は図示しない蝶番機構にて蓋体と筺体とが開閉可能になっており、両方の短辺には本筺体封止構造が採用されている。すなわち、蓋体の金属片挿入部２１と筺体の挿入穴形成部１２はそれぞれ蓋体と筺体の短辺にそれぞれ４対ずつ形成されており、封止可能であるし、必要に応じて開口させることもできる。
【００６２】
　同図に示すように、スロットマシン８０の背面側にも制御ボックス９０が装着され、メンテナンスのためにスロットマシン８０を開いたときには容易に筺体封止構造を視認できる。従って、制御ボックス９０内に手を加えるなどのために金属片挿入部２１や挿入穴形成部１２を破損させれば、次のメンテナンス時にはすぐに見つかってしまう。
　図示していないが、パチロットにも同様に適用可能である。パチロットは、メダルの代わりにパチンコ遊技球を利用するものであり、例えば、パチンコ球の５個がメダル１個に相当して遊技を楽しむことができる。
【００６３】
　このように、スライドして開閉する筺体本体１０と蓋体２０とを合体させて制御ボックスを形成するに際し、予め筺体本体１０の側には五つの挿入穴形成部１２を並べて形成しておくとともに、その外側で挟み込むように予備収容部１３を二つ形成している。予備収容部１３に予備の金属片４０を収容しておくとともに挿入穴形成部１２には板バネ５０を挿入しておき、蓋体２０と筺体本体１０とが対応する位置関係になったら、金属片挿入部２１に金属片４０を挿入していき板バネ５０にて係止させる。この状態でかかる係止部位は両側の予備収容部１３，１３にて挟まれており、かつ、同予備収容部１３，１３には金属片４０が収容されているので外部から切削するなどの不正な攻撃から防御される。
【図面の簡単な説明】
【００６４】
【図１】本発明の一実施形態にかかる筺体封止構造を適用した遊技機の制御ボックスの斜視図である。
【図２】同筺体封止構造を示す制御ボックスの一部破断斜視図である。
【図３】同筺体封止構造を示す制御ボックスの要部断面図である。
【図４】変形例を示す制御ボックスの要部断面図である。
【図５】変形例を示す制御ボックスの要部斜視図である。
【図６】変形例を示す金属片と枠の斜視図である。
【図７】同変形例にかかる金属片と枠を予備収容部に収容する際の斜視図である。
【図８】変形例を示す金属片と金属片の離れた状態を示す平面図である。
【図９】変形例を示す金属片と金属片の近接した状態を示す平面図である。
【図１０】同変形例にかかる金属片と金属片とを予備収容部に収容する際の斜視図である。
【図１１】樹脂壁の破損箇所を示す平面図である。
【図１２】制御基板を保持した蓋体の断面図である。
【図１３】本筺体封止構造を適用した制御ボックスを使用するパチンコ機の背面図である。
【図１４】本筺体封止構造を適用した制御ボックスを使用するスロットマシンの背面図である。
【図１５】従来の筺体封止構造が適用される制御ボックスの外観を示す斜視図である。
【図１６】従来の筺体封止構造の概略断面図である。
【符号の説明】
【００６５】
１０…筺体本体 
１２…挿入穴形成部 
１３…予備収容部 
２０…蓋体 
２１…金属片挿入部 
２２ａ，２２ｂ…樹脂壁 
２３…予備収容部用蓋部 
２５，２６…遮蔽壁材 
３０…制御基板 
３１…部品載置面 
３２…ＩＣソケット 
３４…ケーブル 
４０…金属片 
４２…枠
５０…板バネ 
６０…パチンコ機 
７０…制御ボックス 
８０…スロットマシン 
９０…制御ボックス 
１１３…予備収容部 
２１３…予備収容部 
１４０…金属片 
３１３…予備収容部 
【図１】
2004089734.tif 000003
【図２】
2004089734.tif 000004
【図３】
2004089734.tif 000005
【図４】
2004089734.tif 000006
【図５】
2004089734.tif 000007
【図６】
2004089734.tif 000008
【図７】
2004089734.tif 000009
【図８】
2004089734.tif 000010
【図９】
2004089734.tif 000011
【図１０】
2004089734.tif 000012
【図１１】
2004089734.tif 000013
【図１２】
2004089734.tif 000014
【図１３】
2004089734.tif 000015
【図１４】
2004089734.tif 000016
【図１５】
2004089734.tif 000017
【図１６】
2004089734.tif 000018